(57)【特許請求の範囲】
【請求項１】
動画撮影と静止画撮影が可能な電子カメラであって、
電子シャッター速度が１／６０秒のときとこれより高速の１／１２０秒のときとで共用され、照明灯の交流電源周波数によるフリッカー検知を行う検知手段と、
動画撮影の際に静止画撮影に切り換わった場合、動画撮影の際の垂直帰線期間周期に同期した１／６０秒の電子シャッター速度より高速の１／１２０秒の電子シャッター速度に切り換えるとともに、当該１／１２０秒の電子シャッター速度においてフリッカーを検知した場合に１／１００秒の電子シャッター速度に切り換える制御手段を備えたことを特徴とする電子カメラ。
【請求項２】
電子シャッター速度が１／６０秒のときとこれより高速の１／１２０秒のときとで共用され、照明灯の交流電源周波数によるフリッカー検知を行う検知手段を有し、動画撮影と静止画撮影が可能な電子カメラの電子シャッター制御方法において、
動画撮影の際に静止画撮影に切り換わった場合、動画撮影の際の垂直帰線期間周期に同期した１／６０秒の電子シャッター速度より高速の１／１２０秒の電子シャッター速度に切り換えるとともに、当該１／１２０秒の電子シャッター速度においてフリッカーを検知した場合に１／１００秒の電子シャッター速度に切り換えるようにしたことを特徴とする電子カメラの電子シャッター制御方法。
【発明の詳細な説明】
【０００１】
【発明の属する技術分野】
本発明は、動画撮影と静止画撮影が可能な電子カメラ及びその電子シャッター制御方法に関するものである。
【０００２】
【従来の技術】
従来、動画撮影と静止画撮影を行うビデオカメラ等の電子カメラにおいては、動画撮影時は通常ＴＶ（テレビジョン）信号の垂直帰線期間（６０Ｈｚ：Ｖ周期）に同期して１／６０秒の電子シャッタースピード（速度）で制御している。
【０００３】
また、商用ＡＣ電源周波数が５０Ｈｚの地域では、１／６０秒の電子シャッタースピードでの撮影時の周期的な輝度変化（フリッカー成分）が発生するため、フリッカー検知手段を設けて、フリッカーを検知したときに電子シャッタースピードを１／１００秒に切り換える制御を行っている。
【０００４】
実際の１／６０秒の電子シャッタースピード時における５０Ｈｚのフリッカー検知はソフトウエアにより行っているが、これは次のように行われるものである（図３のフローチャート参照）。
【０００５】
すなわち、フリッカー検知には、上述のＶ周期で更新される輝度成分の積分データ（Ｙｓデータと称する）を１１周期分格納するデータバッファを持ち、そのデータを２０Ｈｚのバンドパスフィルタにかける。そして、バンドパスフィルタをかけたＹｓデータの過去３周期分を保持しておき、その３つのデータのうち最大値と最小値の差がフリッカー検知スレッシュレベルを超えた場合、「フリッカー成分あり」と判断している。
【０００６】
【発明が解決しようとする課題】
しかしながら、上記のような従来の電子カメラにあっては、静止画撮影時に動画撮影時と同じように１／６０秒のシャッタースピードで撮影してしまうと、手ブレを起こしてしまい、撮影した画像がブレてしまうことが多く、鮮明な画像が得られないという問題点があった。
【０００７】
この場合、通常であれば１／１００秒のシャッタースピードに切り換えることにより手ブレを防止できるが、この場合は室内等の蛍光灯下での照明フリッカーはＡＣ電源周波数５０Ｈｚの地域では解消されるが、逆に６０Ｈｚ地域ではフリッカー成分が発生してしまう。
【０００８】
これに対処するためには、１／６０秒のシャッタースピード時における５０Ｈｚのフリッカー検知手段の他に、１／１００秒のシャッタースピード時における６０Ｈｚのフリッカー検知手段も設けなければならず、フリッカー検知手段の規模が大きくなってしまう問題があった。
【０００９】
本発明は、上記のような問題点に着目してなされたもので、静止画撮影時の手ブレを防止でき、また手ブレ防止と同時に簡易な構成でフリッカーの影響を避けることが可能な電子カメラ及びその電子シャッター制御方法を提供することを目的としている。
【００１０】
【課題を解決するための手段】
本発明に係る電子カメラ及びその電子シャッター制御方法は、次のように構成したものである。
【００１１】
（１）動画撮影と静止画撮影が可能な電子カメラであって、電子シャッター速度が１／６０秒のときとこれより高速の１／１２０秒のときとで共用され、照明灯の交流電源周波数によるフリッカー検知を行う検知手段と、動画撮影の際に静止画撮影に切り換わった場合、動画撮影の際の垂直帰線期間周期に同期した１／６０秒の電子シャッター速度より高速の１／１２０秒の電子シャッター速度に切り換えるとともに、当該１／１２０秒の電子シャッター速度においてフリッカーを検知した場合に１／１００秒の電子シャッター速度に切り換える制御手段を備えた。
（２）電子シャッター速度が１／６０秒のときとこれより高速の１／１２０秒のときとで共用され、照明灯の交流電源周波数によるフリッカー検知を行う検知手段を有し、動画撮影と静止画撮影が可能な電子カメラの電子シャッター制御方法において、動画撮影の際に静止画撮影に切り換わった場合、動画撮影の際の垂直帰線期間周期に同期した１／６０秒の電子シャッター速度より高速の１／１２０秒の電子シャッター速度に切り換えるとともに、当該１／１２０秒の電子シャッター速度においてフリッカーを検知した場合に１／１００秒の電子シャッター速度に切り換えるようにした。
【００２１】
【発明の実施の形態】
（第１の実施例）
図１は本発明に係る電子カメラの基本構成を示すブロック図である。
【００２２】
図１において、レンズ１より入射した光は、絞り２で光量が制限された後、撮像素子であるＣＣＤ３上に結像され、このＣＣＤ３で光電変換されて映像信号として蓄積される。このとき、ＣＣＤ３で蓄積される時間（電子シャッタースピード）は、カメラ制御部７から送信される時間データを基にタイミング信号発生器８により出力されるパルスで決定される。
【００２３】
また、ＣＣＤ３で蓄積されて出力された映像信号は、ＡＧＣ回路４で増幅され、Ａ／Ｄコンバータ５でアナログ信号からディジタル信号に変換された後、カメラ信号処理部６で信号処理されて、映像信号として出力される。
【００２４】
上記のカメラ信号処理部６は映像信号の輝度成分（Ｙ信号）を積分するための積分回路を有しており、カメラ制御部７はその積分された輝度成分のレベルを基に絞り２の開度、ＣＣＤ３のシャッタースピード、及びＡＧＣ回路４のゲインを制御し、露出制御を行っている。
【００２５】
また、動画と静止画の記録モードの切り換えは、動画／静止画撮影切換ＳＷ（スイッチ）９により設定される。そして、動画撮影の場合は、シャッタースピードは基本的に１／６０秒で動作するように制御され、静止画撮影の場合はシャッタースピードは１／１００秒となる。
【００２６】
次に、図２のフローチャートに従って本実施例の動作を説明する。この動作は、カメラ制御部７内に格納されたプログラムに従ってＣＰＵ（図示せず）により処理されるものである。
【００２７】
まず、動画／静止画撮影切換ＳＷ９をチェックして撮影モードを判別し（ステップ１０１）、ＳＷ９が動画撮影であった場合は、シャッタースピードが１／６０秒で動作しているかのチェックを行い（ステップ１０２）、既にシャッタースピードが１／６０秒であればそのままとし、シャッタースピードが１／６０秒でなければシャッタースピードを１／６０秒に設定変更する（ステップ１０３）。
【００２８】
また、動画／静止画撮影切換ＳＷ９が静止画撮影であった場合は、シャッタースピードが１／１００秒か否かのチェックを行い（ステップ１０４）、既にシャッタースピードが１／１００秒であればそのままとし、シャッタースピードが１／１００秒でなければシャッタースピードを１／１００秒に設定変更する（ステップ１０５）。
【００２９】
このように、シャッタースピードを切り換える制御手段（カメラ制御部７）を備え、静止画撮影時にシャッタースピードを動画撮影時の１／６０秒より高速のスピード（ここでは１／１００秒）に自動的に切り換えることにより、静止画撮影時の手ブレを防止することができ、鮮明で良好な画像が得られる。
【００３０】
（第２の実施例）
本実施例における電子カメラの基本構成は図１と同様であるので重複する説明は省略するが、本実施例ではシャッタースピードが１／６０秒のときとこれより高速の１／１２０秒のときとで共用のフリッカー検知手段（カメラ信号処理部６）を設け、照明灯である蛍光灯の交流電源周波数によるフリッカー検知を行い、その検知結果に応じてシャッタースピードを切り換えるようにしている。
【００３１】
図４は本実施例の動作を示すフローチャートであり、この動作は前述の実施例と同様カメラ制御部７内のＣＰＵにて処理されるものである。
【００３２】
まず、図１の動画／静止画撮影切換ＳＷ９をチェックして撮影モードを判別し（ステップ２０１）、ＳＷ９が動画撮影であった場合は、以前の撮影モードを判別する（ステップ２０２）。そして、以前のモードが静止画撮影であれば、シャッタースピードを１／６０秒とし（ステップ２０３）、フリッカー検知処理を開始する（ステップ２０５）。
【００３３】
上記ステップ２０２で以前のモードが動画撮影であった場合は、シャッタースピードを変更する必要はないため、シャッタースピードを現在のまま変更せず、フリッカー成分が既に検出されているかを調べ（ステップ２０４）、検出されていなければフリッカー検知処理を行う（ステップ２０５）。
【００３４】
また、ステップ２０１の動画／静止画撮影切換ＳＷ９のチェックでＳＷ９が静止画撮影であった場合は、以前のモードを判別し（ステップ２０８）、動画撮影であればシャッタースピードを１／１２０秒とし（ステップ２０９）、フリッカー検知処理を開始する（ステップ２０５）。
【００３５】
ステップ２０８で以前のモードが静止画撮影であった場合は、変更する必要はないため、シャッタースピードを現在のまま変更せず、フリッカー成分が既に検出されているかを調べ（ステップ２１０）、検出されていなければフリッカー検知処理を行う（ステップ２０５）。
【００３６】
そして、上記ステップ２０５でフリッカー検知を開始し、フリッカー成分が検出されると（ステップ２０６）、シャッタースピードを１／１００秒に設定する（ステップ２０７）。
【００３７】
このように、静止画撮影時に動画撮影時の１／６０秒よりシャッタースピードを高速にすることにより撮影画像の手ブレを防止すると同時に、高速シャッタースピード時におけるフリッカー検知手段を１種類で済むようにするため、最初に１／１２０秒のシャッタースピード制御を行って１／６０秒のシャッタースピード時の５０Ｈｚのフリッカー検知手段を共用し、１／１２０秒時の５０Ｈｚのフリッカー検知を行い、フリッカー成分が検出された場合にシャッタースピードを１／１２０秒から１／１００秒に切り換える制御を行うことにより、手ブレ防止とフリッカーレスの静止画撮影で適正な画像を得ることを可能としている。
【００３８】
次に、図３のフローチャートについてフリッカー検知処理の動作について説明する。
【００３９】
この検知処理は、２０Ｈｚのバンドパスフィルタを用いて行われるもので、ここでの検知処理自体はシャッタースピードが１／６０秒のときの５０Ｈｚの蛍光灯フリッカー検知の場合であるが、静止画撮影時のシャッタースピードを１／１００秒ではなく１／１２０秒にすることにより、６０Ｈｚの蛍光灯フリッカーが現れることも解消し、シャッタースピードが１／６０秒の１／２周期であるため、同一の２０Ｈｚバンドパスフィルタにより検知が可能となる。
【００４０】
したがって、シャッタースピードが１／１２０秒のときの専用のフリッカー検知処理手段を新たに用意する必要がなく、同一の処理手段を共用することができる。これにより、５０Ｈｚの蛍光灯フリッカー成分を検出した場合（図４のステップ２０６）は、シャッタースピードを１／１００秒にすることにより、５０Ｈｚの蛍光灯フリッカーを解消することが可能となる。
【００４１】
まず、前述の輝度成分の積分データ（ｂｕｆ［ｉ］＝ｂｕｆ［ｉ−１］（ｉ＝１０〜１））をバッファにシフトし（ステップ１１）、新規の輝度成分の積分データ（ｂｕｆ［０］←Ｎｅｗ  Ｄａｔａ）を格納する（ステップ１２）。そして、１１個の各バッファの輝度成分の積分データにフィルタ係数を乗算し（ステップ１３）、そのフィルタ出力データ（Ｆ［ｉ］←Ｆ［ｉ−１］（ｉ＝２〜１））をバッファにシフトし（ステップ１４）、新規フィルタ出力データＦ［０］（Ｆ［０］＝（ｂｕｆ［１０］＋ｂｕｆ［０］）−（ｂｕｆ［９］＋ｂｕｆ［１］）＋（ｂｕｆ［８］＋ｂｕｆ［２］）−（ｂｕｆ［７］＋ｂｕｆ［３］）＋（ｂｕｆ［６］＋ｂｕｆ［４］）＋ｂｕｆ［５］）を算出する（ステップ１５）。
【００４２】
次に、過去２回分のフィルタ出力データ（Ｆ［１］，Ｆ［２］）と今回のフィルタ出力データ（Ｆ［０］）から最大データ（ＭＡＸ）と最小データ（ＭＩＮ）を抽出し（ステップ１６）、その差がスレッシュレベルより大きいか否か（ＭＡＸ−ＭＩＮ＞スレッシュ）を判別する（ステップ１７）。そして、上記の差が大きければ前述のようにフリッカー成分を検出し（ステップ１８）、フリッカーの補正を開始する（ステップ１９）。
【００４３】
【発明の効果】
以上説明したように、本発明によれば、静止画撮影時の手ブレを防止できるという効果がある。
【００４４】
また、手ブレ防止と同様に簡易な構成でフリッカーの影響を避けることができるという効果がある。
【図面の簡単な説明】
【図１】  本発明に係る電子カメラの基本構成を示すブロック図
【図２】  第１の実施例における動作を示すフローチャート
【図３】  フリッカー検知処理の動作を示すフローチャート
【図４】  第２の実施例における動作を示すフローチャート
【符号の説明】
１  レンズ
２  絞り
３  ＣＣＤ
４  ＡＧＣ回路
５  Ａ／Ｄコンバータ
６  カメラ信号処理部（検知手段）
７  カメラ制御部（制御手段）
８  ＣＣＤタイミング信号発生器（タイミングジェネレータ）
９  動画／静止画撮影切換スイッチ
【図１】
0004026890.tif 000002
【図２】
0004026890.tif 000003
【図３】
0004026890.tif 000004
【図４】
0004026890.tif 000005